(57)【要約】      （修正有）【課題】角度調節の効果を増進できる角度調節可能なゴルフクラブヘッドを提供する。【解決手段】ヘッド本体１の底部にポイント０が含まれ、ヘッド本体の上部にホーゼル１１が設けられ、ホーゼルの自由端面に第一係止部１４が設けられ、直交座標系のＹ軸はホーゼルの中心線がＸ‐Ｙ面における投影と平行に形成される。カラー２にロフト角度調節部２１とライ角度調節部２２が設けられ、ロフト角度調節部と第一係止部は互いに整合して当接するように形成され、かつ直交座標系のＸ軸方向で相対的な変位が生じられる。桿座３はカラーを貫穿してヘッド本体に穿設され、管座がカラーに当接する部位に第二係止部３２が設けられ、第二係止部とライ角度調節部は互いに整合して当接するように形成され、かつ直交座標系のＹ軸方向で相対的な変位が生じられる。固定ユニットは貫穿溝の中に設けられて桿座の挿入部を固定して連接するように構成される。【選択図】図２
0003194703.tif 000002
【実用新案登録請求の範囲】
【請求項１】
一個のヘッド本体（１）、一個のカラー（２）、一個の桿座（３）および一個の固定ユニット（４）を有する角度調節可能なゴルフクラブヘッドにおいて、上記ヘッド本体（１）の底部には一個のポイント（Ｏ）が形成され、上記ポイント（Ｏ）は一個の直交座標系の原点からなり、上記ヘッド本体（１）の上部には一個のホーゼル（１１）が設けられ、ホーゼル（１１）の自由端面には一個の第一係止部（１４）が設けられ、上記ヘッド本体（１）には一個の貫穿溝（１２）が設けられ、上記貫穿溝（１２）は上記ホーゼル（１１）の自由端からヘッド本体（１）の底部まで貫穿するように形成され、上記直交座標系のＸ‐Ｙ面と上記ポイント（Ｏ）は互いに接触し、上記直交座標系のＹ軸は上記ホーゼル（１１）の中心線が上記Ｘ‐Ｙ面における投影と平行に形成され、上記カラー（２）の両端面にはそれぞれ一個のロフト角度調節部（２１）と一個のライ角度調節部（２２）が設けられ、上記ロフト角度調節部（２１）と上記第一係止部（１４）は互いに整合して当接するように形成され、かつ上記直交座標系のＸ軸方向で相対的な変位が生じられ、上記桿座（３）には互いに連接する一個の挿入部（３ａ）と一個の露出部（３ｂ）が形成され、上記挿入部（３ａ）は上記カラー２を貫穿して上記貫穿溝（１２）の中に穿設され、上記挿入部（３ａ）と露出部（３ｂ）の互いに連接する部位において上記挿入部（３ａ）の幅径は上記露出部（３ｂ）の幅径より小さくて一個の当接端面（３１）が形成され、上記当接端面（３１）には一個の第二係止部（３２）が設けられ、上記第二係止部（３２）と上記ライ角度調節部（２２）は互いに整合して当接するように形成され、かつ上記直交座標系のＹ軸方向で相対的な変位が生じられ、上記露出部（３ｂ）は上記カラー（２）と上記貫穿溝（１２）の外に露出され、上記固定ユニット（４）は上記貫穿溝（１２）の中に設けられて上記桿座（３）の挿入部（３ａ）を固定して連接することを特徴とする角度調節可能なゴルフクラブヘッド。
【請求項２】
上記貫穿溝（１２）は一個の挿設部（１２ａ）と一個の延伸部（１２ｂ）に分けられ、上記挿設部（１２ａ）は上記ホーゼル（１１）の自由端面から上記ヘッド本体（１）の底部に向って延伸し、上記延伸部（１２ｂ）は上記挿設部（１２ａ）に隣接して上記ヘッド本体（１）の底部まで貫穿し、上記挿設部（１２ａ）と延伸部（１２ｂ）が互いに連接する部位には幅径の変化によって一個の肩部（１３）が形成され、上記桿座（３）の挿入部（３ａ）は上記挿設部（１２ａ）の中に穿設されることを特徴とする請求項１に記載の角度調節可能なゴルフクラブヘッド。
【請求項３】
上記桿座（３）には一個の固定孔（３３）が設けられ、上記固定孔（３３）は上記挿入部（３ａ）の自由端に凹設され、上記固定ユニット（４）には一個の座金（４１）と一個の固定部材（４２）が含まれ、上記座金（４１）には相対する一個の第一表面（４１ａ）と一個の第二表面（４１ｂ）が含まれ、上記座金（４１）には上記第一表面（４１ａ）と上記第二表面（４１ｂ）を貫穿する一個の貫穿孔（４１１）が含まれ、上記第一表面（４１ａ）は楕円形で、一個の第一基準線（Ｌ１）は上記楕円形の長軸を通過し、一個の第二基準線（Ｌ２）は上記楕円形の短軸を通過し、上記貫穿孔（４１１）の中心は上記第一基準線（Ｌ１）または第二基準線（Ｌ２）を通過せず、上記座金（４１）は上記肩部（１３）に当接し、上記固定部材（４２）は上記貫穿孔（４１１）を貫穿して上記桿座（３）の固定孔（３３）と固定して連接することを特徴とする請求項２に記載の角度調節可能なゴルフクラブヘッド。
【請求項４】
上記桿座（３）には一個の固定孔（３３）が設けられ、上記固定孔（３３）は上記挿入部（３ａ）の自由端に凹設され、上記固定ユニット（４）には一個の座金（４１’）と一個の固定部材（４２）が含まれ、上記座金（４１’）には相対する一個の第一表面（４１ａ’）と一個の第二表面（４１ｂ’）が含まれ、上記座金（４１’）には上記第一表面（４１ａ’）と上記第二表面（４１ｂ’）を貫穿する一個の貫穿孔（４１１’）が含まれ、上記第一表面（４１ａ’）は楕円形で、一個の第一基準線（Ｌ１）は上記楕円形の長軸を通過し、一個の第二基準線（Ｌ２）は上記楕円形の短軸を通過し、上記貫穿孔（４１１’）の中心は上記第一基準線（Ｌ１）を通過するが、第二基準線（Ｌ２）を通過せず、上記座金（４１’）は上記肩部（１３’）に当接し、上記固定部材（４２）は上記貫穿孔（４１１’）を貫穿して上記桿座（３）の固定孔（３３）と固定して連接することを特徴とする請求項２に記載の角度調節可能なゴルフクラブヘッド。
【請求項５】
上記ヘッド本体（１）の肩部（１３’）には一個の第一当接部（１３ａ）、一個の第二当接部（１３ｂ）、一個の第三当接部（１３ｃ）および一個の第四当接部（１３ｄ）が含まれ、上記第一当接部（１３ａ）、第二当接部（１３ｂ）、第三当接部（１３ｃ）および第四当接部（１３ｄ）は時計回りの方向で上記ホーゼル（１１）の中心線を中心にして環状に分布され、上記座金（４１’）は上記第一当接部（１３ａ）と上記第三当接部（１３ｃ）に当接するか、または上記第二当接部（１３ｂ）と上記第四当接部（１３ｄ）に当接することを特徴とする請求項４に記載の角度調節可能なゴルフクラブヘッド。
【請求項６】
上記第一当接部（１３ａ）、第二当接部（１３ｂ）、第三当接部（１３ｃ）および第四当接部（１３ｄ）は等角で環状に分布されることを特徴とする請求項５に記載の角度調節可能なゴルフクラブヘッド。
【請求項７】
上記貫穿孔（４１１）の軸方向において、上記座金（４１）は中間の幅が両端の幅より大きな形態に形成されるように二個の環状斜面（４１２）が形成され、かつその内の一個の環状斜面（４１２）は上記第一表面（４１ａ）と連接し、もう一個の環状斜面（４１２）は上記第二表面（４１ｂ）と連接し、上記座金（４１）は上記二個の環状斜面（４１２）の内の一個で上記肩部（１３）に当接することを特徴とする請求項３〜６のいずれか一項に記載の角度調節可能なゴルフクラブヘッド。
【請求項８】
上記第一係止部（１４）は少なくとも一個の切欠部（１４１）からなり、上記ホーゼル（１１）は上記切欠部（１４１）の両側においてそれぞれ一個の止め面（１４２）が形成され、かつ少なくともその内の一個の止め面（１４２）は上記直交座標系のＸ‐Ｚ面と平行に形成され、上記ロフト角度調節部（２１）は少なくとも一個の突出片（２１１）からなり、上記突出片（２１１）は対応する切欠部（１４１）に嵌入され、上記突出片（２１１）の両側は上記切欠部（１４１）の両側の止め面（１４２）によって位置決めされることを特徴とする請求項１〜７のいずれか一項に記載の角度調節可能なゴルフクラブヘッド。
【請求項９】
上記第一係止部（１４）の切欠部（１４１）の数は二個であって、上記二個の切欠部（１４１）は半径方向に相対するように形成されることを特徴とする請求項８に記載の角度調節可能なゴルフクラブヘッド。
【請求項１０】
上記ライ角度調節部（２２）は少なくとも一個の切欠部（２２１）からなり、上記カラー（２）は上記切欠部（２２１）の両側においてそれぞれ一個の止め面（２２２）が形成され、かつ少なくともその内の一個の止め面（２２２）は上記直交座標系のＹ‐Ｚ面と平行に形成され、上記第二係止部（３２）は少なくとも一個の突出片（３２１）からなり、上記突出片（３２１）は対応する切欠部（２２１）に嵌入され、上記突出片（３２１）の両側は上記切欠部（２２１）の両側の止め面（２２２）によって位置決めされることを特徴とする請求項１〜９のいずれか一項に記載の角度調節可能なゴルフクラブヘッド。
【請求項１１】
上記ライ角度調節部（２２）の切欠部（２２１）の数は二個であって、上記二個の切欠部（２２１）は半径方向に相対するように形成されることを特徴とする請求項１０に記載の角度調節可能なゴルフクラブヘッド。
【考案の詳細な説明】
【技術分野】
【０００１】
本考案は、ゴルフクラブヘッドに関するもので、特にヘッドの角度調節の機能を有することにより、異なる番手の数本のクラブの代わりに使用することができる角度調節可能なゴルフクラブヘッドに係るものである。
【背景技術】
【０００２】
従来のゴルフクラブでは、そのシャフトとヘッドの間の傾斜角度を調整することができず、プレーする際には、各種のスイングの需要に応じて用いられる通常１０本以上の異なる種類と番手のクラブを含む１セットのゴルフクラブを必要としている。そのため、プレイ時には重たい１セットのクラブを運んでゴルフ場で移動しなければならず、使用者に負担が掛かるだけではなく、家とゴルフ場への行き来における車両での運搬過程において、或いは平日で使用しない時には沢山のゴルフクラブで過大な収納空間を占めてしまうなどの要因により、多くの困惑と問題点が生じていた。
【０００３】
そのため、中華民国公告第５１５３２１号の「ヘッドの角度調節可能なゴルフクラブ」、公告第Ｍ２７２５５７号の「ゴルフパター」、中華民国公開第２０１１０３６０７号の「ゴルフクラブヘッドとホーゼルに用いられる解放自在と交換自在な連接部材」、同公開第２０１１２９４０８号の「フェースの調整可能なゴルフクラブまたはゴルフクラブヘッド」およびアメリカ特許第７９９７９９７号の「交換可能なシャフトシステム」等においては、シャフトとヘッドの間の傾斜角度を調整することができるゴルフクラブが提案されており、一本のクラブで多数の異なる番手のクラブの代わりに使用することにより、上述した問題点を解決しようとするものがある。
【０００４】
しかしながら、上述した先行技術文献においてすでに多種類のヘッドの角度調節可能なゴルフクラブを掲示されているが、上述のようなゴルフクラブを使用してヘッドの傾斜角度を調整する場合、全て少なくとも二つ以上の軸方向における角度を動かす必要があり、各軸方向の角度を単独で調整することができないため、使用者はゴルフクラブヘッドを本当に必要とする角度に正確に調整することができないという問題点があった。
【０００５】
そのため、本出願人は、実用新案登録第３１８３６１５号「角度調節可能なゴルフクラブヘッド」において、単一の軸方向に対して角度調節可能なゴルフクラブヘッドを提案し、使用者に本当に必要とする角度に簡単かつ精確に調整することができるゴルフクラブヘッドを提供していた。
【０００６】
しかしながら、上記のような従来のゴルフクラブヘッドでは、ヘッド本体と桿座が互いに整合するとともに、特定な軸方向に対して相対的な変位を生じることができる形態を備えることにより、ヘッド本体と桿座の間には成型時において既に決定された特定な単一の軸方向に対して角度の調整を行なうことができるものであった。
【０００７】
言い換えれば、仮に上記ゴルフクラブヘッドが成型時においてＸ軸を軸方向として角度調整できるように設定し、ロフト角度（Loft Angle）に対して調整を行なうと、このゴルフクラブヘッドはＸ軸以外の軸方向を角度調節の軸心とすることができない。例えば、Ｙ軸を軸心として角度調節を行なってライ角度（Lie Angle）を変えようとする場合、Ｙ軸を角度調節の軸心とするもう一つのゴルフクラブヘッドを選択しなければならない。そのため、使用者は依然として複数本のクラブを用意しなければならず、そして使用の需要に応じて対応するクラブを選択して特定の単一の軸方向を軸心として角度調節を行なわなければならず、それ故に、上記のような従来のゴルフクラブヘッドは依然として改善する必要性がある。
【先行技術文献】
【特許文献】
【０００８】
【特許文献１】中華民国公告第５１５３２１号公報
【特許文献２】中華民国公告第Ｍ２７２５５７号公報
【特許文献３】中華民国公開第２０１１０３６０７号公報
【特許文献４】中華民国公開第２０１１２９４０８号公報
【特許文献５】アメリカ特許第７９９７９９７号公報
【特許文献６】実用新案登録第３１８３６１５号公報
【考案の概要】
【考案が解決しようとする課題】
【０００９】
本考案はこのような問題点に鑑みて考案されたものであって、その目的は二つの異なる軸方向の角度調節の軸心を有し、一本のゴルフクラブヘッドで二つの角度調節の軸心の内の一つを軸心として角度調節を行なうことができる角度調節可能なゴルフクラブヘッドを提供することにある。
【課題を解決するための手段】
【００１０】
上記目的を達成するために、本考案による角度調節可能なゴルフクラブヘッドは、一個のヘッド本体、一個のカラー、一個の桿座および一個の固定ユニットを有する。上記ヘッド本体の底部には一個のポイントが形成され、上記ポイントは一個の直交座標系の原点からなる。上記ヘッド本体の上部には一個のホーゼルが設けられ、ホーゼルの自由端面には一個の第一係止部が設けられる。上記ヘッド本体には一個の貫穿溝が設けられ、上記貫穿溝は上記ホーゼルの自由端からヘッド本体の底部まで貫穿するように形成される。上記直交座標系のＸ‐Ｙ面と上記ポイントは互いに接触し、上記直交座標系のＹ軸は上記ホーゼルの中心線が上記Ｘ‐Ｙ面における投影と平行に形成される。上記カラーの両端面にはそれぞれ一個のロフト角度調節部と一個のライ角度調節部が設けられ、上記ロフト角度調節部と上記第一係止部は互いに整合して当接するように形成され、かつ上記直交座標系のＸ軸方向で相対的な変位が生じられる。上記桿座には互いに連接する一個の挿入部と一個の露出部が形成され、上記挿入部は上記カラー２を貫穿して上記貫穿溝の中に穿設される。上記挿入部と露出部の互いに連接する部位において上記挿入部の幅径は上記露出部の幅径より小さくて一個の当接端面が形成され、上記当接端面には一個の第二係止部が設けられる。上記第二係止部と上記ライ角度調節部は互いに整合して当接するように形成され、かつ上記直交座標系のＹ軸方向で相対的な変位が生じられる。上記露出部は上記カラーと上記貫穿溝の外に露出される。上記固定ユニットは上記貫穿溝の中に設けられて上記桿座の挿入部を固定して連接する。
【００１１】
また、本考案による角度調節可能なゴルフクラブヘッドは、上記貫穿溝に一個の挿設部と一個の延伸部が分けられ、上記挿設部は上記ホーゼルの自由端面から上記ヘッド本体の底部に向って延伸し、上記延伸部は上記挿設部に隣接して上記ヘッド本体の底部まで貫穿し、上記挿設部と延伸部が互いに連接する部位には幅径の変化によって一個の肩部が形成され、上記桿座の挿入部は上記挿設部の中に穿設されるように構成することもできる。
【００１２】
また、本考案による角度調節可能なゴルフクラブヘッドは、上記桿座に一個の固定孔が設けられ、上記固定孔は上記挿入部の自由端に凹設され、上記固定ユニットには一個の座金と一個の固定部材が含まれ、上記座金には相対する一個の第一表面と一個の第二表面が含まれ、上記座金には上記第一表面と上記第二表面を貫穿する一個の貫穿孔が含まれ、上記第一表面は楕円形で、一個の第一基準線は上記楕円形の長軸を通過し、一個の第二基準線は上記楕円形の短軸を通過し、上記貫穿孔の中心は上記第一基準線または第二基準線を通過せず、上記座金は上記肩部に当接し、上記固定部材は上記貫穿孔を貫穿して上記桿座の固定孔と固定して連接することもできる。
【００１３】
また、本考案による角度調節可能なゴルフクラブヘッドは、上記桿座に一個の固定孔が設けられ、上記固定孔は上記挿入部の自由端に凹設され、上記固定ユニットには一個の座金と一個の固定部材が含まれ、上記座金には相対する一個の第一表面と一個の第二表面が含まれ、上記座金には上記第一表面と上記第二表面を貫穿する一個の貫穿孔が含まれ、上記第一表面は楕円形で、一個の第一基準線は上記楕円形の長軸を通過し、一個の第二基準線は上記楕円形の短軸を通過し、上記貫穿孔の中心は上記第一基準線を通過するが、第二基準線を通過せず、上記座金は上記肩部に当接し、上記固定部材は上記貫穿孔を貫穿して上記桿座の固定孔と固定して連接することもできる。
【００１４】
また、本考案による角度調節可能なゴルフクラブヘッドは、上記ヘッド本体の肩部には一個の第一当接部、一個の第二当接部、一個の第三当接部と一個の第四当接部が含まれ、上記第一当接部、第二当接部、第三当接部と第四当接部は時計回りの方向で上記ホーゼルの中心線を中心にして環状に分布され、上記座金は上記第一当接部と上記第三当接部に当接したり、または上記第二当接部と上記第四当接部に当接したりすることもできる。また、上記第一当接部、第二当接部、第三当接部と第四当接部は等角の環状に分布されることもできる。
【００１５】
また、本考案による角度調節可能なゴルフクラブヘッドは、上記貫穿孔の軸方向において、上記座金は中間の幅が両端の幅より大きい形態に形成されることによって二個の環状斜面が形成され、かつその内の一個の環状斜面は上記第一表面と連接し、もう一個の環状斜面は上記第二表面と連接し、上記座金は上記二個の環状斜面の内の一個で上記肩部に当接することもできる。
【００１６】
また、本考案による角度調節可能なゴルフクラブヘッドは、上記第一係止部は少なくとも一個の切欠部からなり、上記ホーゼルは上記切欠部の両側においてそれぞれ一個の止め面が形成され、かつ少なくともその内の一個の止め面は上記直交座標系のＸ‐Ｚ面と平行に形成され、上記ロフト角度調節部は少なくとも一個の突出片からなり、上記突出片は対応する切欠部に嵌入され、上記突出片の両側は上記切欠部の両側の止め面によって位置決めされることもできる。また、上記第一係止部の切欠部の数量は二個で、上記二個の切欠部は半径方向に相対するように形成されることもできる。
【００１７】
また、本考案による角度調節可能なゴルフクラブヘッドは、上記ライ角度調節部は少なくとも一個の切欠部からなり、上記カラーは上記切欠部の両側においてそれぞれ一個の止め面が形成され、かつ少なくともその内の一個の止め面は上記直交座標系のＹ‐Ｚ面と平行に形成され、上記第二係止部は少なくとも一個の突出片からなり、上記突出片は対応する切欠部に嵌入され、上記突出片の両側は上記切欠部の両側の止め面によって位置決めされることもできる。また、上記ライ角度調節部の切欠部の数量二個で、上記二個の切欠部は半径方向に相対するように形成されることもできる。
【考案の効果】
【００１８】
本考案の角度調節可能なゴルフクラブヘッドによれば、二個の異なる軸方向の角度調節の軸心を有し、一本のゴルフクラブヘッドで上記二個の角度調節の軸心の内の一個を軸心として角度調節を行なうことができるという利点がある。
【図面の簡単な説明】
【００１９】
【図１】図１は、本考案の実施例１によるゴルフクラブヘッドの分解斜視図である。
【図２】図２は、本考案の実施例１のゴルフクラブヘッドの組み立てられた構造の説明図である。
【図３】図３は、本考案の実施例１のゴルフクラブヘッドが第一使用状態における断面構造の説明図である。
【図４】図４は、本考案の実施例１のゴルフクラブヘッドの座金が第一使用状態における平面構造の説明図である。
【図５】図５は、本考案の実施例１のゴルフクラブヘッドの座金が第二使用状態における平面構造の説明図である。
【図６】図６は、本考案の実施例１のゴルフクラブヘッドが第二使用状態における断面構造の説明図である。
【図７】図７は、本考案の実施例１のゴルフクラブヘッドにおいて第一、第二使用状態を比較した角度調節の効果の説明図である。
【図８】図８は、本考案の実施例１のゴルフクラブヘッドが第二使用状態におけるもう一つの断面構造の説明図である。
【図９】図９は、本考案の実施例１のゴルフクラブヘッドの座金が第二使用状態におけるもう一つの平面構造の説明図である。
【図１０】図１０は、本考案の実施例１のゴルフクラブヘッドの座金が第三使用状態における平面構造の説明図である。
【図１１】図１１は、本考案の実施例１のゴルフクラブヘッドが第三使用状態における断面構造の説明図である。
【図１２】図１２は、本考案の実施例１のゴルフクラブヘッドにおいて第二、第三使用状態を比較した角度調節の効果の説明図である。
【図１３】図１３は、本考案の実施例２によるゴルフクラブヘッドの分解斜視図である。
【図１４】図１４は、本考案の実施例２のゴルフクラブヘッドのヘッド本体の底部の平面構造の説明図である。
【図１５】図１５は、本考案の実施例２のゴルフクラブヘッドの座金の平面構造の説明図である。
【図１６】図１６は、本考案の実施例２のゴルフクラブヘッドが第一使用状態において座金と肩部の結合関係の説明図である。
【図１７】図１７は、本考案の実施例２のゴルフクラブヘッドが第二使用状態において座金と肩部の結合関係の説明図である。
【図１８】図１８は、本考案の実施例２のゴルフクラブヘッドにおいて第一、第二使用状態を比較した角度調節の効果の説明図である。
【図１９】図１９は、本考案の実施例２のゴルフクラブヘッドが第三使用状態において座金と肩部の結合関係の説明図である。
【図２０】図２０は、本考案の実施例２のゴルフクラブヘッドにおいて第一、第三使用状態を比較した角度調節の効果の説明図である。
【図２１】図２１は、本考案の実施例２のゴルフクラブヘッドが第四使用状態において座金と肩部の結合関係の説明図である。
【考案を実施するための形態】
【００２０】
本考案の実施の形態について、以下、図面を参照して説明する。
【実施例１】
【００２１】
図１は本考案の実施例１によるゴルフクラブヘッドの分解斜視図で、図２は本考案の実施例１のゴルフクラブヘッドの組み立てられた構造の説明図で、図３は本考案の実施例１のゴルフクラブヘッドが第一使用状態における断面構造の説明図である。図１、２、３を参照すると、本考案の角度調節可能なゴルフクラブヘッドには主として一個のヘッド本体１、一個のカラー２、一個の桿座３および一個の固定ユニット４が含まれる。カラー２はヘッド本体１と桿座３の間に設けられ、桿座３はヘッド本体１と一個のシャフトＳと連接するのに用いられ、シャフトＳの一端は桿座３の中に穿設される。桿座３はカラー２を貫穿し、さらにカラー２から突き出た部分によってヘッド本体１の中に穿設されるため、固定ユニット４を固定して位置決めすることができる。
【００２２】
ヘッド本体１の底部には一個のポイントＯ（図２に標示されている。）が含まれ、使用者がシャフトＳを握持する時、ヘッド本体１はポイントＯをもって一個の平面（例えば地面）と互いに接触する。その内、ポイントＯは一個の直交座標系の原点として定義することができ、上記の平面は即ち直交座標系のＸ‐Ｙ面となる。ヘッド本体１の一方には一個のフェース板Ｆが含まれる。
【００２３】
ヘッド本体１の上部には一個のホーゼル１１が設けられ、ヘッド本体１には一個の貫穿溝１２が設けられる。貫穿溝１２はホーゼル１１の自由端からヘッド本体１の底部まで貫穿されるため、ホーゼル１１は中空状に形成される。桿座３の一部分はホーゼル１１の中に穿設され、さらにホーゼル１１の中心線、桿座３の中心線およびシャフトＳの軸線は同軸上である。また、直交座標系のＹ軸はホーゼル１１の中心線がＸ‐Ｙ面における投影と平行に形成される。
【００２４】
詳しく言えば、貫穿溝１２には大別して一個の挿設部１２ａと一個の延伸部１２ｂに分けられる。挿設部１２ａはホーゼル１１の自由端面からヘッド本体１の底部に向って延伸するため、シャフトＳが結合される桿座３が穿設するのに用いることができる。延伸部１２ｂは挿設部１２ａに隣接してヘッド本体１の底部まで貫穿される。挿設部１２ａと延伸部１２ｂが互いに連接する部位には幅径の変化によって一個の肩部１３が形成され、肩部１３は固定ユニット４が当接して位置決めするのに用いることができる。
【００２５】
ヘッド本体１にはこの他に一個の第一係止部１４が設けられる。第一係止部１４はホーゼル１１の自由端面に設けられることにより、ヘッド本体１と互いに当接するカラー２は直交座標系のＹ軸方向において相対的な変位が生じるのを避けるように用いられる。本実施例において、第一係止部１４は選択的に少なくとも一個の切欠部１４１からなることができる。そのため、ホーゼル１１は切欠部１４１の両側においてそれぞれ一個の止め面１４２が形成され、かつ少なくともその内の一個の止め面１４２は直交座標系のＸ‐Ｚ面と略平行に形成される。この他に、第一係止部１４は切欠部１４１の数量を増やす、例えば選択的に二個からなることによりさらに二個の切欠部１４１を半径方向に相対するように形成させて、第一係止部１４に四個止め面１４２が含まれるため、止め効果を高めることができる。
【００２６】
カラー２の一個の端面には一個のロフト角度調節部２１が設けられ、ロフト角度調節部２１と第一係止部１４は互いに整合して当接するように形成される。即ち、本実施例において、ロフト角度調節部２１は選択的に少なくとも一個の突出片２１１からなることができ、さらに少なくとも一個の突出片２１１は対応する切欠部１４１に嵌入されて互いに当接するように形成される。これにより、カラー２がヘッド本体１に当接される時、突出片２１１の両側は切欠部１４１の両側の止め面１４２によって位置決めされるため、ヘッド本体１とカラー２の間は直交座標系のＹ軸方向において相対的な変位を生じることができない。
【００２７】
カラー２のもう一個の端面には一個のライ角度調節部２２が設けられる。ライ角度調節部２２はカラー２と互いに当接する桿座３が直交座標系のＸ軸方向において相対的な変位が生じるのを避けるのに用いられる。本実施例において、ライ角度調節部２２は選択的に少なくとも一個の切欠部２２１からなることができるため、カラー２は切欠部２２１の両側においてそれぞれ一個の止め面２２２が形成され、かつ少なくともその内の一個の止め面２２２は直交座標系のＹ‐Ｚ面と略平行に形成される。この他に、ライ角度調節部２２は切欠部２２１の数量を増やすことにより、例えば選択的に二個に増やすことにより、さらに二個の切欠部２２１を半径方向に相対するように形成させることにより、ライ角度調節部２２には四個の止め面２２２が含まれるため、止めの効果を高めることができる。
【００２８】
桿座３には互いに連接する一個の挿入部３ａと一個の露出部３ｂが含まれ、かつ挿入部３ａと露出部３ｂが互いに連接する部位において、挿入部３ａの幅径は露出部３ｂの幅径より小さく形成されて一個の当接端面３１が形成される。桿座３は挿入部３ａによってカラー２を貫穿し、さらに貫穿溝１２の挿設部１２ａに穿設される。また、当接端面３１によってカラー２に当接することにより、露出部３ｂはカラー２と貫穿溝１２の外に露出される。
【００２９】
桿座３はこの他に当接端面３１において一個の第二係止部３２が設けられ、第二係止部３２とカラー２のライ角度調節部２２は互いに整合して当接するように形成される。即ち、本実施例において、第二係止部３２は選択的に少なくとも一個の突出片３２１からなることができ、さらに少なくとも一個の突出片３２１によって対応する切欠部２２１に嵌入して互いに当接するように形成される。これにより、桿座３がカラー２に当接される時、突出片３２１の両側は切欠部２２１の両側の止め面２２２によって位置決めされるため、桿座３とカラー２の間は直交座標系のＸ軸方向において相対的な変位を生じることはできない。
【００３０】
注意しなければならない点は、上述した第一係止部１４、ロフト角度調節部２１、ライ角度調節部２２および第二係止部３２について、その各自の構造形態は本実施例の図に提示される形態に限定されるべきものでないことである。カラー２のロフト角度調節部２１とヘッド本体１の第一係止部１４を互いに係止して位置決めすることができ、さらにカラー２のライ角度調節部２２と桿座３の第二係止部３２を互いに係止して位置決めすることができることが原則として必要であることであり、これは本分野で通常の知識を有する者が容易に理解できるものである。即ち、上述した第一係止部１４を突出した構造に設け、そしてロフト角度調節部２１を凹んだ構造に設けることもできる。さらに、ライ角度調節部２２を突出した構造に設けたり、第二係止部３２を凹んだ構造に設けたり、または、その他の均等な効果を奏する構造的変形を行なうことができる。
【００３１】
この他に、桿座３には一個の固定孔３３と一個の挿入溝３４が設けられる。固定孔３３は挿入部３ａの自由端に凹設され、固定ユニット４が固定して位置決めするのに用いられる。挿入溝３４は露出部３ｂの自由端に凹設され、シャフトＳの一端が穿設して位置決めするのに用いられる。本実施例において、固定孔３３は例えば一個のねじ孔からなることができ、シャフトＳは選択的に締りばめによる結合方式で挿入溝３４の中に位置決めすることができる。
【００３２】
固定ユニット４はヘッド本体１の貫穿溝１２の中に設けられ、桿座３の挿入部３ａを固定して連接するのに用いられる。本実施例において、固定ユニット４には一個の座金４１と一個の固定部材４２が含まれる。
【００３３】
図４は、本考案の実施例１によるゴルフクラブヘッドの座金の第一使用状態における平面構造を説明するための図である。図３、４を参照すると、座金４１には相対する一個の第一表面４１ａと一個の第二表面４１ｂが含まれる。座金４１には一個の貫穿孔４１１が含まれ、貫穿孔４１１は第一表面４１ａと第二表面４１ｂを貫穿する。この内、第一表面４１ａは略楕円形に形成される。この楕円形は、一個の第一基準線Ｌ１が楕円形の長軸を通過し、一個の第二基準線Ｌ２は楕円形の短軸を通過し、さらに第一基準線Ｌ１と第二基準線Ｌ２によって第一表面４１ａは四個のブロックに分けられるように形成される。これら四個のブロックは時計回りの方向の順序に従って第一ブロックＤ１、第二ブロックＤ２、第三ブロックＤ３と第四ブロックＤ４に形成される。
【００３４】
貫穿孔４１１の中心Ｃは四個のブロックＤ１、Ｄ２、Ｄ３、Ｄ４の内のいずれか一個に位置される。言い換えれば、貫穿孔４１１の中心Ｃは第一基準線Ｌ１または第二基準線Ｌ２を通過しない。この他に、ヘッド本体１では肩部１３を座金４１の外形に合わせて略楕円形の形態に設けることができ、それにより、座金４１を収容するとともに、座金４１と互いに当接することができる。
【００３５】
また、貫穿孔４１１の軸方向において、座金４１は選択的に中間の幅が両端の幅より大きな形態に形成されることによって二個の環状斜面４１２が形成され、かつその内の一個の環状斜面４１２は第一表面４１ａと連接し、もう一個の環状斜面４１２は第二表面４１ｂと連接する。これにより、座金４１はヘッド本体１の底部から貫穿溝１２の延伸部１２ｂに嵌入することができ、さらに二個の環状斜面４１２の内の一個によって上記貫穿溝１２の肩部１３に当接することにより、座金４１と肩部１３の間の結合の安定性を高めることができる。
【００３６】
固定部材４２は例えば一個のボルトからなることができる。固定部材４２は座金４１の貫穿孔４１１を貫穿し、かつ桿座３の固定孔３３を固定して連接することにより、桿座３の当接端面３１はカラー２に緊密に当接することができ、さらにカラー２によってホーゼル１１の自由端面に緊密に当接することができるため、シャフトＳは桿座３を通じてヘッド本体１と安定して互いに連接することができる。
【００３７】
再び図３、４を参照すると、本実施例において、座金４１の貫穿孔４１１とヘッド本体１の貫穿溝１２は互いに連通し、かつ選択的にゴルフクラブヘッドの初期的状態を座金４１の貫穿孔４１１の中心Ｃが第二ブロックＤ２に位置するように形成させることができる。これにより、ライ角度に対して調整を行なおうとする時、使用者は先ず固定部材４２を緩ませるように回動させ、続いて座金４１を取り外し、さらに第一基準線Ｌ１（または上記楕円形の座金４１の長軸）を中心にして座金４１をひっくり返すことにより、座金４１の貫穿孔４１１の中心Ｃを、図５に示すように、第三ブロックＤ３に位置するように変えさせる。それから、図６に示すように、固定部材４２を新たに座金４１の貫穿孔４１１を貫穿させ、さらに桿座３の固定孔３３に固定し直すことにより遂行される。
【００３８】
また、座金４１の貫穿孔４１１の中心Ｃは既に変位が生じているため、固定部材４２を桿座３の固定孔３３に固定し直す時、桿座３の軸心を併せて連動して変位を生じさせる。このように、桿座３の第二係止部３２とカラー２のライ角度調節部２２の間は、図７に示すように、直交座標系のＹ軸方向をもって相対的な変位が生じられることにより、ライ角度を調整するという効果を奏することができるため、本考案のゴルフクラブヘッドのライ角度は初期的な状態のθ１からθ２まで調整することができる。
【００３９】
図８は、本考案の実施例１によるゴルフクラブヘッドの第二使用状態におけるもう一つの断面構造を説明するための図である。図８を参照すると、図８はゴルフクラブヘッドが上述した初期的状態からライ角度を調整した後に対応するＸ‐Ｚ面の断面図で、図９はこの状態に対応する座金４１の平面構造の説明図である。この時、座金４１の貫穿孔４１１とヘッド本体１の貫穿溝１２は互いに連通し、かつ座金４１の貫穿孔４１１の中心Ｃは第三ブロックＤ３に位置される。
【００４０】
再び図８、９を参照すると、ロフト角度に対して調整を行なおうとする時、使用者は先ず固定部材４２を緩むように回動させ、続いて座金４１を取り外し、さらに第二基準線Ｌ２（または上記楕円形の座金４１の短軸）を中心にして座金４１をひっくり返すと、座金４１の貫穿孔４１１の中心Ｃが、図１０に示すように、第四ブロックＤ４に位置するように変えさせる。それから、図１１に示すように、固定部材４２を新たに座金４１の貫穿孔４１１に貫穿させ、さらに桿座３の固定孔３３に固定し直す。
【００４１】
また、座金４１の貫穿孔４１１の中心Ｃは既に変位が生じているため、固定部材４２を桿座３の固定孔３３に固定し直す時、桿座３の軸心を併せて連動して変位を生じさせる。ただし、この時に桿座３の第二係止部３２はカラー２のライ角度調節部２２によって位置決めされるため、桿座３の当接端面３１とカラー２の間はＹ軸方向で相対的な変位を生じることはできない。これにより、カラー２は桿座３の連動により、カラー２のロフト角度調節部２１とヘッド本体１の第一係止部１４の間は、図１２に示すように、直交座標系のＸ軸方向をもって相対的な変位が生じられることにより、ロフト角度を調整するという効果を奏することができ、ゴルフクラブヘッドのロフト角度は一個のα角が調整される。
【実施例２】
【００４２】
図１３は、本考案の実施例２によるゴルフクラブヘッドの分解斜視図である。図１３を参照すると、実施例２は上述した実施例１とほぼ同じであるが、その主な差異は、本実施例におけるヘッド本体１の肩部１３’は四個の凹弧面を有する形態に設けられ、さらに固定ユニット４の座金４１’についてはその貫穿孔４１１’の設置位置が変更されている。
【００４３】
図１４は、本考案の実施例２によるゴルフクラブヘッドのヘッド本体の底部の平面構造を説明するための図である。図１３、１４を参照すると、肩部１３’には凹弧面の形態を有する一個の第一当接部１３ａ、一個の第二当接部１３ｂ、一個の第三当接部１３ｃおよび一個の第四当接部１３ｄが含まれる。第一当接部１３ａ、第二当接部１３ｂ、第三当接部１３ｃおよび第四当接部１３ｄは時計回りの方向で上述したホーゼル１１の中心線を中心にして等角で環状に分布されるため、第一当接部１３ａと第三当接部１３ｃが相対し、さらに第二当接部１３ｂと第四当接部１３ｄが相対するように形成される。
【００４４】
図１５は、本考案の実施例２によるゴルフクラブベッドの座金の平面構造を説明するための図である。図１５を参照すると、座金４１’の第一表面４１ａ’は略楕円形に形成され、一個の第一基準線Ｌ１は楕円形の長軸を通過し、一個の第二基準線Ｌ２は楕円形の短軸を通過する。そして、貫穿孔４１１’の中心Ｃは第一基準線Ｌ１を通過するが、第二基準線Ｌ２を通過しない。
【００４５】
図１６は、本考案の実施例２によるゴルフクラブヘッドの第一使用状態における座金と肩部の結合関係を説明するための図である。図１３、１６を参照すると、上述した構造に基づき、仮にゴルフクラブヘッドが角度調節前の初期的状態にある時、座金４１’はその内の一個の環状斜面４１２’によって肩部１３’の第一当接部１３ａと第三当接部１３ｃに当接され、座金４１’の貫穿孔４１１’とヘッド本体１の貫穿溝１２は互いに連通し、かつ座金４１’の貫穿孔４１１’中心Ｃは第一当接部１３ａに比較的近接する部位に位置される。
【００４６】
これにより、ライ角度に対して調整を行なおうとする時、使用者は固定部材４２を緩ませるように回動させ、さらに座金４１’を直接時計回りに９０°回動させると、図１７に示すように、座金４１’は肩部１３’の第二当接部１３ｂと第四当接部１３ｄに位置合わせるように変えられ、かつ座金４１’の貫穿孔４１１’の中心Ｃは第二当接部１３ｂに比較的近接する部位に位置される。それから固定部材４２を桿座３の固定孔３３に固定し直すことにより、座金４１’の環状斜面４１２’は肩部１３’の第二当接部１３ｂと第四当接部１３ｄに安定して当接される。
【００４７】
また、座金４１’の貫穿孔４１１’の中心Ｃは既に変位が生じているため、固定部材４２を桿座３の固定孔３３に固定し直す時、桿座３の軸心を併せて連動して変位が生じられる。このように、桿座３の第二係止部３２とカラー２のライ角度調節部２２の間は、図１８に示すように、直交座標系のＹ軸方向をもって相対的な変位が生じられることにより、ライ角度を調整するという効果を奏することができる。
【００４８】
また、ゴルフクラブヘッドを上述した初期的状態からロフト角度に対して調整を行なおうとする時、使用者は固定部材４２が緩むように回動させ、さらに座金４１’を直接反時計回りに９０°回動させると、図１９図に示すように、座金４１’は肩部１３’の第二当接部１３ｂと第四当接部１３ｄに位置合わせるように変えられ、かつ座金４１’の貫穿孔４１１’の中心Ｃは第四当接部１３ｄに比較的近接する部位に位置される。それから固定部材４２を桿座３の固定孔３３に固定し直すことにより、座金４１’の環状斜面４１２’は肩部１３’の第二当接部１３ｂと第四当接部１３ｄに安定して当接される。
【００４９】
また、座金４１’の貫穿孔４１１’の中心Ｃは既に変位が生じているため、固定部材４２を桿座３の固定孔３３に固定し直す時、桿座３の軸心を併せて連動して変位が生じられる。ただし、この時に桿座３の第二係止部３２はカラー２のライ角度調節部２２によって位置決めされるため、桿座３の当接端面３１とカラー２の間はＹ軸方向で相対的な変位を生じることができない。これにより、カラー２は桿座３の連動により、カラー２のロフト角度調節部２１とヘッド本体１の第一係止部１４の間は、図２０に示すように、直交座標系のＸ軸方向をもって相対的な変位が生じられることにより、ロフト角度を調整するという効果を奏することができる。
【００５０】
同様に、仮にライ角度に対して再び調整を行なおうとする時、図２１に示すように、固定部材４２が緩むように回動させた後、座金４１’を直接再び反時計回りに９０°回動させると、座金４１’は肩部１３’の第一当接部１３ａと第三当接部１３ｃに位置合わせするように変えられ、かつ座金４１’の貫穿孔４１１’の中心Ｃは第三当接部１３ｃに比較的近接する部位に位置される。それから固定部材４２を桿座３の固定孔３３に固定し直すことにより、ライ角度を調整するという効果を奏することができる。
【００５１】
簡単に言えば、本実施例においては、座金４１’を回動させることにより、図１６、１７に示す状態から互換したり、或いは図１９、２１に示す状態から互換したりする時、ライ角度を調整するという効果を奏することができる。また、図１６、１９に示す状態から互換したり、或いは第１７、２１図に示す状態から互換したりする時、ロフト角度を調整するという効果を奏することができる。さらに、本実施例のゴルフクラブヘッドは角度の調整を行なう時、固定部材４２からを取り外すことなく、さらにひっくり返す動作を行なうことなく、直接座金４１’を予定される角度に回動させるだけで達成できる。それ故、上述した実施例１と比較すると、実施例２においては余分な角度調節を省くという利便性を高めるという効果を奏することができる。
【００５２】
総合すると、本考案の角度調節可能なゴルフクラブヘッドによれば、ヘッド本体に設けられる第一係止部、カラーに設けられるロフト角度調節部とライ角度調節部、および桿座に設けられる第二係止部によって、ゴルフクラブヘッドには二個の異なる軸方向の角度調節の軸心を有するようになる。これにより、一本のゴルフクラブヘッドで二個の角度調節の軸心の内の一個を軸心として角度調節を行なうことができる。そのため、本考案の角度調節可能なゴルフクラブヘッドは、打球時に用意しなければならないクラブの本数をさらに減らすことができるため、使用の利便性を高めるとともに、使用者の負担を減らすなどの効果を奏することができる。
【００５３】
本考案は、その精神と必須の特徴事項から逸脱することなく他のやり方で実施することができる。従って、本明細書に記載した好ましい実施形態は例示的なものであり、限定を意図するものではない。
【符号の説明】
【００５４】
１    ヘッド本体
１１    ホーゼル
１２    貫穿溝
１２ａ    挿設部
１２ｂ    延伸部
１３、１３’    肩部
１３ａ    第一当接部
１３ｂ    第二当接部
１３ｃ    第三当接部
１３ｄ    第四当接部
１４    第一係止部
１４１    切欠部
１４２    止め面
２    カラー
２１    ロフト角度調節部
２１１    突出片
２２    ライ角度調節部
２２１    切欠部
２２２    止め面
３    桿座
３ａ    挿入部
３ｂ    露出部
３１    当接端面
３２    第二係止部
３２１    突出片
３３    固定孔
３４    挿入溝
４    固定ユニット
４１、４１’    座金
４１ａ、４１ａ’    第一表面
４１ｂ、４１ｂ’    第二表面
４１１、４１１’    貫穿孔
４１２、４１２’    環状斜面
４２    固定部材
Ｃ    中心
Ｄ１    第一ブロック
Ｄ２    第二ブロック
Ｄ３    第三ブロック
Ｄ４    第四ブロック
Ｆ    フェース板
Ｌ１    第一基準線
Ｌ２    第二基準線
Ｏ    ポイント
Ｓ    シャフト
【図１】
0003194703.tif 000003
【図２】
0003194703.tif 000004
【図３】
0003194703.tif 000005
【図４】
0003194703.tif 000006
【図５】
0003194703.tif 000007
【図６】
0003194703.tif 000008
【図７】
0003194703.tif 000009
【図８】
0003194703.tif 000010
【図９】
0003194703.tif 000011
【図１０】
0003194703.tif 000012
【図１１】
0003194703.tif 000013
【図１２】
0003194703.tif 000014
【図１３】
0003194703.tif 000015
【図１４】
0003194703.tif 000016
【図１５】
0003194703.tif 000017
【図１６】
0003194703.tif 000018
【図１７】
0003194703.tif 000019
【図１８】
0003194703.tif 000020
【図１９】
0003194703.tif 000021
【図２０】
0003194703.tif 000022
【図２１】
0003194703.tif 000023